(57)【特許請求の範囲】
【請求項１】
被検眼の角膜に気流を吹き付けて前記角膜を変形させる気流吹付手段と、該気流吹付手段による前記角膜の変形を光学的に検出する角膜変形検出手段と、該角膜変形検出手段の出力に基づき被検眼の眼圧を演算する演算手段とを備えた非接触式眼圧計において、
眼圧が既知である被検眼の角膜に前記気流を吹き付けて得られた前記角膜の変形度合いの比較データを複数記憶して保持しているメモリを更に備え、前記角膜変形検出手段は前記気流吹付手段が前記角膜に気流の吹き付けを開始してから所定時間内における角膜変形の度合いを検出すると共に、
前記演算手段は、前記角膜変形検出手段により検出された前記角膜の変形から前記所定時間内における前記角膜の変形度合を求めて、この求めた前記角膜の変形度合いを前記メモリに記憶保持させた複数の比較データと比較し、この求めた前記角膜の変形度合いに近い比較データを前記複数の比較データから選定し、この選定した前記比較データに対応する眼圧値を表示装置に表示させることを特徴とする非接触式眼圧計。
【請求項２】
前記角膜変形検出手段は、前記被検眼に向けてパターン光束を投影するパターン光束投影系と、該パターン光束の角膜反射を受光する受光手段とを備えており、
該受光手段上により所定時間内における角膜変形の度合いを検出するように構成した請求項１に記載の非接触式眼圧計。
【請求項３】
前記角膜変形検出手段は被検眼前眼部の断面像を撮像する撮像手段を備え、該撮像手段により所定時間内における角膜変形の度合いを検出するように構成した請求項２に記載の非接触式眼圧計。
【発明の詳細な説明】
【０００１】
【産業上の利用分野】
この発明は、被検眼に向けて気流を吹き付けると共に、この気流による角膜の変形を光学的に検出することにより、被検眼の眼圧を非接触で測定する非接触式眼圧計に関するものである。
【０００２】
【従来の技術】
従来から、被検眼に向けてエアパルスを吹き付けて角膜を圧平させる（角膜頂点部分が平面になるまで角膜を変形させることをいう。以下、同じ。）と共に、このエアパルスによる被検眼の角膜の圧平を光学的に検知することにより、被検眼の眼圧を非接触で測定する非接触式眼圧計が広く知られている。
【０００３】
具体的には、図８に示すように、時間に比例して吹付圧が増加するエアパルスＡｐを被検眼の吹き付けると共に、被検眼に向けて図９の様な平行な光束Ｌｉを照射する。
【０００４】
エアパルス吹き付け動作開始前においては、角膜が通常の球面形状をしているので、この入射光束Ｌｉの角膜Ｃにおける反射光束Ｌｒは、図１０の様に角膜Ｃの曲率中心ＲoからＲo／２だけ隔てた点Ａから放射される様に反射する。
【０００５】
一方、角膜がエアパルスにより圧平された状態では、反射光束Ｌｒはそのまま同じ平行光束となって反射される。この反射光束Ｌｉは、角膜Ｃが圧平された時点でその受光光量が最大となるような位置に配置された受光素子により検出される。これにより、受光光量が最大となるまでの時間、即ち角膜が圧平されるまでの時間Ｔ0 （図８）を演算し、これに基づいて眼圧を算出する。
【０００６】
【発明が解決しようとする課題】
しかしながら、上述の非接触式眼圧計は、被検眼を圧平させないと測定をすることができないので、吹き付けられる気流の圧力が非常に大きいものとならざるを得ず、被検者にとっては不愉快なものであった。また、空気吹き付けにより生ずる音も大きく、被検者を驚かせるという不都合があった。
【０００７】
【課題を解決するための手段】
本発明は、この点に鑑み、被検眼に向けて吹き付ける気流の圧力を最小限に抑えることができ、これにより被検者の負担を軽減する非接触式眼圧計を提供することを目的とする。
【０００８】
このため、請求項１の発明は、被検眼の角膜に気流を吹き付けて前記角膜を変形させる気流吹付手段と、該気流吹付手段による前記角膜の変形を光学的に検出する角膜変形検出手段と、該角膜変形検出手段の出力に基づき被検眼の眼圧を演算する演算手段とを備えた非接触式眼圧計において、眼圧が既知である被検眼の角膜に前記気流を吹き付けて得られた前記角膜の変形度合いの比較データを複数記憶して保持しているメモリを更に備え、前記角膜変形検出手段は前記気流吹付手段が前記角膜に気流の吹き付けを開始してから所定時間内における角膜変形の度合いを検出すると共に、前記演算手段は、前記角膜変形検出手段により検出された前記角膜の変形から前記所定時間内における前記角膜の変形度合を求めて、この求めた前記角膜の変形度合いを前記メモリに記憶保持させた複数の比較データと比較し、この求めた前記角膜の変形度合いに近い比較データを前記複数の比較データから選定し、この選定した前記比較データに対応する眼圧値を表示装置に表示させる非接触式眼圧計としたことを特徴とする。
【０００９】
この請求項１の発明によれば、気流の吹き付けによる角膜の形状の所定時間内における変化は、被検眼の眼圧の大小により異なる。すなわち、眼圧が高ければ角膜の形状変化は少なく、逆に眼圧が低ければ角膜の形状変化は大きい。従って、この変化の度合いを解析することにより、被検眼の眼圧を算出することができる。そして、この場合、被検眼角膜を圧平させる必要は必ずしもないので、従来の非接触式眼圧計に比べてエアパルスの圧力を低減させることができる。
【００１０】
また、請求項２の発明によれば、前記角膜変形検出手段は、前記被検眼に向けてパターン光束を投影するパターン光束投影系と、該パターン光束の角膜反射を受光する受光手段とを備えており、該受光手段上により所定時間内における角膜変形の度合いを検出するように構成したことを特徴とする。
【００１１】
この請求項２の発明によれば、被検眼に向けて投影されたパターン光束が角膜において反射され、受光手段上にパターン像が形成される。この受光手段上のパターン像は、気流の吹き付けにより形状が変化する。そして、所定時間内におけるこの像の変化は、被検眼の眼圧の大小により異なる。すなわち、眼圧が高ければ、パターン像の形状変化は少なく、逆に眼圧が低ければパターン像の形状変化は大きい。従って、この変化の度合いを解析することにより、被検眼の眼圧を算出することができる。そして、この場合、被検眼角膜を圧平させる必要は必ずしもないので、従来の非接触式眼圧計に比べてエアパルスの圧力を低減させることができる。
【００１２】
更に、請求項３の発明は、前記角膜変形検出手段は被検眼前眼部の断面像を撮像する撮像手段を備え、該撮像手段により所定時間内における角膜変形の度合いを検出するように構成したことを特徴とする。
【００１３】
この請求項３の発明によれば、気流の吹き付けによる角膜の断面形状の所定時間内における変化は、被検眼の眼圧の大小により異なる。すなわち、眼圧が高ければ角膜の断面形状変化は少なく、逆に眼圧が低ければ角膜の断面形状変化は大きい。従って、この変化の度合いを解析することにより、被検眼の眼圧を算出することができる。そして、この場合、被検眼角膜を圧平させる必要は必ずしもないので、従来の非接触式眼圧計に比べてエアパルスの圧力を低減させることができる。
【００１４】
【発明の実施の形態】
以下、本発明の実施の形態を図１〜図６に基づいて説明する。
（１）第１実施例
本実施例の非接触式眼圧計は、図１に示したように、プラチドリング照明系（パターン光束投影系）１０，観察光学系２０，エアパルス噴射系（気流吹付手段）３０，ＸＹアライメント投影光学系４０，ＸＹアライメント検出光学系５０，作動距離検出系６０，制御系１００，表示装置２００とから大略構成される。
（プラチドリング照明系１０）
図１に示したプラチドリング照明系１０は、パターン光束としての同心円状の複数のリングパターンを被検眼Ｅの角膜Ｃに投影するためのものであり、図２に示したように同心円状に配列された多数の発光ダイオード１１及び図３に示したような同心円状の複数のリングパターンを有する拡散板１２とからなる。具体的には、特開平８−２７５９２０号公報に詳細に説明されるプラチドパターン投影系と同様の構造を採用することが可能である。尚、図３において、ａ１〜ａ６は光透過部、ｂ１〜ｂ６は光不透過部である。
（観察光学系２０）
観察光学系２０は、被検眼前眼部を観察すると共に、プラチドリング像を観察・記録するためのものであり、対物レンズ２１，テレセントリック絞り２２，結像レンズ２３，ＣＣＤ（受光手段）２４とからなる。観察光学系２０の光軸Ｏは、プラチドリング照明系１０の複数のリングパターンのリング中心Ｏ′と一致している。
【００１５】
また、ＣＣＤ２４は、対物レンズ２１及び結像レンズ２３に関し、適正な作動距離Ｗに位置した被検眼の角膜の焦点面と光学的に共役である。
【００１６】
プラチドリング照明系１０から発したリング照明光束は、角膜Ｃにおいて反射し、角膜Ｃの焦点面Ｆの近傍にプラチドリングの虚像が形成される。観察光学系２０は、物側に関しテレセントリックな光学系であるので、プラチドリング像は、作動距離が多少のズレに拘わらず同じ大きさでＣＣＤ２４上に投影されることになる。
（エアパルス噴射系３０）
エアパルス噴射系３０は、被検眼角膜を変形させるため、時間に比例して吹付圧の増加するエアパルスを噴射するためのものであり、シリンダ３１，ピストン３２，このピストン３２を駆動するソレノイド３３，オリフィス管３４とからなる。オリフィス管３４は、図１に示すように対物レンズ２１の中心を貫通すると共に、シリンダ３１の先端部分に取り付けられていて、これにより、ピストン３２の駆動により生成された圧縮空気を被検眼角膜に向けて噴射するようにされている。
【００１７】
後述するように、本発明においては、エアパルス噴射前後におけるプラチドリング像の形状の変化に基づいて眼圧を測定するので、被検眼を圧平する必要はなく、このため、エアパルスの強さは、従来のものに比して弱いもので足りる。例えば、圧力のピーク値が５mmHgのエアパルスで十分である。なお、従来の非接触式眼圧計ではピーク値が１５mmHg程度のエアパルスが必要である。
（ＸＹアライメント投影光学系４０）
ＸＹアライメント投影光学系４０は、被検眼Ｅと光軸Ｏとの上下方向（ｙ方向）及び左右方向（Ｘ方向）に関する位置合せ状態を検出するためのアライメント指標光を被検眼Ｅに向けて投影するためのものであり、光源４１，ピンホール４２，コリメートレンズ４３，ハーフミラー４４，対物レンズ２１とを備えている。ピンホール４２は、コリメートレンズ４３の前側焦点位置に配置されており、これによりＸＹアライメント指標光としての平行光が対物レンズ２１を介して被検眼Ｅに投影される。
（ＸＹアライメント検出光学系５０）
ＸＹアライメント検出光学系５０は、被検眼ＥとのＸＹ方向に関する位置合せ状態を検出する為のものであり、対物レンズ２１，結像レンズ２３，ハーフミラー５１，受光素子５２とを備えている。受光素子５２は、入射光の光量を検出可能なフォトダイオードが用いられる。このフォトダイオードは、ＸＹアライメント投影光学系からのＸＹアライメント指標光の角膜反射光を受光し、この光量に基づいてＸＹ方向のアライメント状態を検出する役割を有する。なお、受光素子として、入射光量の重心位置を検出可能なＰＳＤを用いることも可能である。
（作動距離検出系６０）
作動距離検出系６０は、光源６１，スリット６２，コリメートレンズ６３，集光レンズ６４，受光素子６５を備えている。光源６１から発した光は、スリット６２，コリメートレンズ６３により作動距離検出指標光としての平行スリット光束とされ、被検眼Ｅに斜め方向から投影される。被検眼角膜において反射したスリット光束は、集光レンズ６４により受光素子６５に導かれる。受光素子６５としては、例えば受光位置を検出可能なラインセンサが採用できる。受光素子６５は、スリット光束の到達位置に基づいて作動距離の調節状態を検出する。
（制御系１００）
制御系１００は、演算制御回路１０１，Ａ／Ｄ変換器１０２，メモリ１０３とから構成されている。この演算制御回路１０１には受光素子５２，４からの検出信号が入力される。また、ソレノイド３３は演算制御回路１０１により駆動制御される。
【００１８】
演算制御回路１０１は、ＣＣＤ２４によりＡＤ変換器１０２を介して得られたプラチドリング画像情報を所定のタイミングでメモリ１０３に転送する。例えば、図４に示すように、アライメント完了信号が得られた時刻ｔ０とエアパルスの噴射が開始される時刻ｔ２との間の時刻ｔ１において画像情報の一度目の転送がなされると共に、エアパルスの噴射が開始される時刻ｔ２からＴ秒後であってエアパルスの圧力が最大となる時刻ｔ４よりも手前の間の時刻ｔ３において画像情報の二度目の転送が行われる。メモリ１０３は、この様にして転送された画像情報を記憶する。
【００１９】
眼圧が１０mmHgである場合と、眼圧が１５mmHgである場合とでは、同じ強さのエアパルスを噴射が開始された時刻ｔ２からＴ秒経過後の角膜の変形度合いは大きく異なる。図５は、角膜の変形度合いを概念的に示したものであり、（１）は眼圧が１０mmHgである被検眼に５mmHgのエアパルスを噴射してからＴ秒経過後の角膜の変形度合いを示しており、（２）は眼圧が１５mmHgである被検眼に５mmHgのエアパルスを噴射してからＴ秒経過後の角膜の変形度合いを示しており、眼圧が大きいほど角膜は凹みにくい。そのため、眼圧が大きいほど、リング形状の変化は小さい。従って、リング形状の変化の度合いを分析することにより、眼圧の大きさが分かることになる。
【００２０】
メモリ１０３は、被検眼の眼圧を決定するための比較データとして、ピーク値が５mmHgであるエアパルス（以下、５mmHgエアパルスと略す）を眼圧が既知である被検眼に噴射した場合におけるプラチドリング画像のデータを保持している。例えば、５mmHgエアパルスを眼圧が１０＋ｉ（mmHg）（ｉ＝１，２，３・・・・・・１０）と分かっている被検眼に噴射した場合のプラチドリング画像の図６（ａ）〜図６（ｉ）に示したようなデータを保持している。
【００２１】
演算制御回路１０１は、この比較データとしての画像データと、得られた画像データとを比較し、最も形状が近い比較データを選定する。そして、選定された比較データに対応する眼圧値を表示装置２００に表示する。尚、ＣＣＤ２４は角膜変形検出手段を構成している。
【００２２】
次に、この様な構成の非接触式眼圧計の作用を説明する。
【００２３】
図示を省略した前眼部照明光源を点灯させて、被検眼Ｅの前眼部を照明して、被検眼Ｅの前眼部からの反射光を対物レンズ２１，ハーフミラー４４，テレセン絞り２２，結像レンズ２３，ハーフミラー５１を介してＣＣＤ２４に受光させる。これにより、被検眼前眼部像がＣＣＤ２４に結像され、ＣＣＤ２４からの画像信号がＡ／Ｄ変換器１０２及び演算制御回路１０１を介して表示装置２００に入力され、表示装置２００に被検眼Eの前眼部像が表示される。
【００２４】
一方、アライメント用の光源４１，６１を点灯させる。この光源４１を点灯させると、光源４１からのアライメント光がハーフミラー４４及び対物レンズ２１を介して被検眼Ｅに投影され、このアライメント光が被検眼Ｅの角膜Ｃで反射する。そして、この反射光が、対物レンズ２１，ハーフミラー，ハーフミラー４４，テレセン絞り２２，結像レンズ２３及びハーフミラー５１を介して受光素子５２により受光される。
【００２５】
また、アライメント用の光源６１を点灯させると、光源６１からの光はスリット６２及びコリメートレンズ６３を介して平行スリット光束とされ、この平行スリット光束が被検眼Ｅの角膜Ｃに投影されて反射する。この反射光は、集光レンズ６４を介して受光素子６５に受光される。
【００２６】
この受光素子５２，６５からの検出信号は演算制御回路１０１に入力される。そして、演算制御回路１０１は受光素子５２からの検出信号に基づいて表示装置２００の前眼部像にアライメントのための輝点像（図示せず）を重ねて表示する。この状態で、図示しないジョイスティックを左右上下方向（ＸＹ方向）に操作して、表示装置２００に映し出された輝点像が装置の光軸Ｏと一致するように操作すると共に、ジョイスティックを前後に移動させて、対物レンズ２１と角膜Ｃの頂点との作動距離Ｗを距離を受光素子５２及び演算制御回路１０１により検出させ、即ち装置の光軸方向（Ｚ軸方向）へのアライメントを行わせる。
【００２７】
尚、この様な輝点像を用いたＸＹアライメント及び受光素子６５からの出力信号を基にした光軸方向のアライメント検出には周知の方法が使用できるので、その詳細な説明は省略する。
【００２８】
そして、演算制御回路１０１は、受光素子５２，６５から出力信号を基に装置が角膜Ｃの頂点にアライメントされたのを時間ｔ０で検出すると、即ち、時間ｔ０でアライメント完了信号が得られると、多数の発光ダイオード１１を点灯させて、この発光ダイオード１１からの光を拡散板１２のリングパターンの光透過部を透過させて被検眼Ｅの角膜Ｃに投影させて反射させる。この反射光は、対物レンズ２１，ハーフミラー４４，テレセン絞り２２，結像レンズ２３，ハーフミラー５１を介してＣＣＤ２４に受光させる。これにより、被検眼前眼部像及びリングパターン像がＣＣＤ２４に結像され、ＣＣＤ２４からの画像信号がＡ／Ｄ変換器１０２を介して演算制御回路１０１に入力される。しかも、演算制御回路１０１は、時刻ｔ１からエアパルスの噴射が開始される時刻ｔ２までの間において、ＣＣＤ２４に結像される前眼部像及びリングパターン像等の画像情報を一度目の情報としてメモリ１０３に転送して記憶する。
【００２９】
この後、演算制御回路１０１は、時刻ｔ２においてソレノイド３３を作動させ、ピストン３２を駆動してシリンダ３１内のエアの圧縮を開始する。この圧縮動作により、シリンダ３１内のエア圧は図４のＡＰで示したように略比例的に時間ｔ４においてピーク値が５ｍｍＨｇとなるまで上昇させられる。
【００３０】
また、演算制御回路１０１は、エアパルスの噴射が開始される時刻ｔ２からＴ秒後であって、エアパルスの圧力が最大となる時刻ｔ４よりも手前の時刻ｔ３において、ＣＣＤ２４から入力される前眼部像及びリングパターン像等の画像情報を二度目の情報としてメモリ１０３に転送して記憶させる。
【００３１】
この様にしてメモリ１０３に第二回目の前眼部像及びリングパターン像が記憶されると、演算制御回路１０１はメモリ１０３に記憶されたリングパターン像と比較データ（図６）とのパターンマッチングを行う。そして、演算制御回路１０１は、比較データ（図６）の中から得られリングパターン像と最も形状が近いデータを選定し、選定されたデータに対応する眼圧値を表示装置２００に表示させる。例えば、メモリ１０３に記憶されたリングパターン像が、図６の（ａ）のものに一致している場合には被検眼Ｅの眼圧が１０mmHgであり、図６の（ｂ）のものに一致している場合には被検眼Ｅの眼圧が１５mmHgであり、図６の（ｉ）のものに一致している場合には被検眼Ｅの眼圧がＰmmHgである旨を表示装置２００に表示する。
【００３２】
また、演算制御回路１０１は、メモリ１０３に第一回目に記憶されたリングパターン像に基づいて被検眼角膜の曲率半径を演算し、この演算結果を上述した様にして得られる眼圧値の補正に用いる。
【００３３】
以上の実施例では、パターン光束の形状を多重リングとしているが、これに限らず、一重のリング光束やバーコードの様なものでもよい。
（２）第２実施例
以上説明した実施例では、被検眼角膜への気流吹き付け時に、パターン投影系によりパターン光束を被検眼前眼部に投影して、被検眼角膜から反射するパターン光束の変化から被検眼角膜の変形を検出するようにしたが、必ずしもこれに限定されるものではない。
【００３４】
例えば、被検眼角膜への気流吹き付け時に、シャインプルーグの原理を用いた光学系により、被検眼角膜の断面形状の変化を検出するようにしてもよい。即ち、図１に示したプラチドリング照明系１０及びテレセントリック絞り２２を省略すると共に、図７に示したようにスリット照明系７０及び前眼部断面撮影系８０を設けて、このスリット照明系７０及び前眼部断面撮影系８０により被検眼角膜の断面形状を撮影することにより、被検眼角膜への気流吹き付け時に、被検眼角膜の断面形状の変化を検出するようにしてもよい。
【００３５】
このスリット照明系７０は、撮影用の赤外光源７１からの照明光をスリット７２によりスリット光束とすると共にコリメートレンズ７３で平行光束とし、平行光束とされたスリット光束をハーフミラー７４，４４及び対物レンズ２１を介して被検眼角膜Ｃに投影するようになっている。
【００３６】
前眼部断面撮影系８０は、スリット照明系７０からのスリット光束による被検眼角膜Ｃからの反射光束を撮影レンズ８１を介して赤外に感度のあるエリアＣＣＤ８２（撮像手段）に受光するようになっている。このＣＣＤ８２の撮像面は光軸ＯＳに対して傾斜させられている。尚、本実施例ではＣＣＤ８２は光軸ＯＳに対して４５°傾斜させられている。しかも、スリット７２の投影像の光断面の延長面、撮影レンズ８１の主平面Ｓ１及びＣＣＤ８２の結像面８２ａの延長面Ｓ２が１本の交線で交わるような配置となっている。
【００３７】
メモリ１０３は、被検眼の眼圧を決定するための比較データとして、ピーク値が５mmHgであるエアパルス（以下、５mmHgエアパルスと略す）を眼圧が既知である被検眼に噴射した場合におけるプラチドリング画像のデータを保持している。例えば、５mmHgエアパルスを眼圧が１０＋ｉ（mmHg）（ｉ＝１，２，３・・・・・・１０）と分かっている被検眼に噴射した場合の角膜断面形状データ（図示略）を保持している。
【００３８】
次に、この構成の作用を説明する。
【００３９】
この構成により被検眼角膜Ｃの角膜断面を撮影する場合には、第１実施例と同様にしてＸＹ方向の被検眼角膜Ｃに対するアライメントを行う。この際、Ｚ方向の大まかなアライメントを表示装置２００を見ながら行う。一方、演算制御回路１０１により照明光源７１を点灯させて、スリット照明光を被検眼角膜Ｃに投影させる。
【００４０】
演算制御回路１０１は、アライメントが完了後、図４の時刻がｔ１からエアパルスが噴射される時刻ｔ２までの間に、被検眼角膜Ｃの角膜断面をエリアＣＣＤ８２で撮影する。このエリアＣＣＤ８２からの出力は演算制御回路１０１を介してメモり１０３に一度目の角膜断面形状の画像情報として記憶される。
【００４１】
この後、演算制御回路１０１は、図４の時刻ｔ２においてソレノイド３３を作動させ、ピストン３２を駆動してシリンダ３１内のエアの圧縮を開始する。この圧縮動作により、シリンダ３１内のエア圧は図４のＡＰで示したように略比例的に時間ｔ４においてピーク値が５ｍｍＨｇになるまで上昇させられる。
【００４２】
そして、演算制御回路１０１は、エアパルスの噴射が開始される時刻ｔ２からＴ秒後であって、エアパルスの圧力が最大となる時刻ｔ４よりも手前の間の時刻ｔ３において、被検眼角膜Ｃの角膜断面をエリアＣＣＤ８２で撮影させる。このエリアＣＣＤ８２からの出力は演算制御回路１０１を介してメモり１０３に二度目の角膜断面形状の画像情報として記憶される。
【００４３】
次に、演算制御回路１０１は、メモリ１０３に第二回目の被検眼角膜Ｃの断面形状が記憶されると、メモリ１０３に第一回目に記憶された被検眼角膜の断面形状と、メモリ１０３に二度目に記憶された被検眼角膜形状を重ねて表示装置２００に表示させる。
【００４４】
また、演算制御回路１０１は、メモリ１０３に記憶された比較データを順次呼び出して、この呼び出した比較データとメモリ１０３に記憶させた第一回目と第二回目の角膜断面形状とを比較し、最も近い比較データを特定すると共に、該データに対応する眼圧値を表示装置２００に表示させる。
【００４５】
【発明の効果】
以上説明したように、請求項１の発明は、被検眼の角膜に気流を吹き付けて前記角膜を変形させる気流吹付手段と、該気流吹付手段による前記角膜の変形を光学的に検出する角膜変形検出手段と、該角膜変形検出手段の出力に基づき被検眼の眼圧を演算する演算手段とを備えた非接触式眼圧計において、眼圧が既知である被検眼の角膜に前記気流を吹き付けて得られた前記角膜の変形度合いの比較データを複数記憶して保持しているメモリを更に備え、前記角膜変形検出手段は前記気流吹付手段が前記角膜に気流の吹き付けを開始してから所定時間内における角膜変形の度合いを検出すると共に、前記演算手段は、前記角膜変形検出手段により検出された前記角膜の変形から前記所定時間内における前記角膜の変形度合を求めて、この求めた前記角膜の変形度合いを前記メモリに記憶保持させた複数の比較データと比較し、この求めた前記角膜の変形度合いに近い比較データを前記複数の比較データから選定し、この選定した前記比較データに対応する眼圧値を表示装置に表示させる構成としたので、被検眼に向けて吹き付ける気流の圧力を最小限に抑えることができ、これにより被検者の負担を軽減することができる。即ち、被検眼角膜を圧平させる必要は必ずしもないので、従来の非接触式眼圧計に比べてエアパルスの圧力を低減させることができる。
【００４６】
また、請求項２の発明によれば、前記角膜変形検出手段は、前記被検眼に向けてパターン光束を投影するパターン光束投影系と、該パターン光束の角膜反射を受光する受光手段とを備えており、被検眼角膜に気流を吹き付けたときのパターン像の所定時間内における変化の度合いを解析することにより、被検眼の眼圧を算出することができる。そして、この場合も、被検眼角膜を圧平させる必要は必ずしもないので、従来の非接触式眼圧計に比べてエアパルスの圧力を低減させることができる。
【００４７】
更に、請求項３の発明は、前記角膜変形検出手段は被検眼前眼部の断面像を撮像する撮像手段を備え、該撮像手段により所定時間内における角膜変形の度合いを検出するように構成したので、
気流の吹き付けによる角膜の断面形状の所定時間内における変化の度合いを解析することにより、被検眼の眼圧を算出することができる。そして、この場合も、被検眼角膜を圧平させる必要は必ずしもないので、従来の非接触式眼圧計に比べてエアパルスの圧力を低減させることができる。
【図面の簡単な説明】
【図１】この発明に係る非接触式眼圧計の光学系及び制御回路の一実施例を示す説明図である。
【図２】図１に示した拡散板と発光ダイオードとの関係を示す説明図である。
【図３】図１に示した拡散板に設けたパターンの説明図である。
【図４】図１に示した非接触式眼圧計の撮影とエアパルスとの関係を示す説明図である。
【図５】図１に示した被検眼にエアパルスを吹き付けたときの説明図である。
【図６】図４の被検眼の角膜の変形と眼圧との関係を示すパターン像の説明図である。
【図７】この発明に係る非接触式眼圧計の光学系及び制御回路の他の実施例を示す説明図である。
【図８】従来のエアパルス吹き付けと眼圧値との関係を示す説明図である。
【図９】エアパルスを吹き付けていないときの角膜圧平検出のための光束の説明図である。
【図１０】エアパルスを吹き付けたときの角膜圧平検出のための光束の説明図である。
【符号の説明】
１０・・・プラチドリング照明系（パターン光束投影系）
２４・・・ＣＣＤ（受光手段）
３０・・・エアパルス噴射系（気流吹付手段）
１０１・・・演算制御回路（演算手段）
【図１】
0003862869.tif 000002
【図２】
0003862869.tif 000003
【図３】
0003862869.tif 000004
【図４】
0003862869.tif 000005
【図５】
0003862869.tif 000006
【図６】
0003862869.tif 000007
【図７】
0003862869.tif 000008
【図８】
0003862869.tif 000009
【図９】
0003862869.tif 000010
【図１０】
0003862869.tif 000011